【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、遊技用価値の付与を伴う小役入賞を含む入賞について発生を許容するか否かを決定する事前決定手段と、
遊技者が表示結果を導出させるために操作する導出操作手段と、
前記事前決定手段の決定結果および前記導出操作手段の操作に応じて、前記可変表示部に表示結果を導出する制御を行う導出制御手段と、
遊技の進行における所定の契機で報知条件に関する制御をし、該報知条件にしたがって所定の情報を報知する報知期間に制御する報知期間制御手段と、
を備え、
前記報知期間制御手段による前記報知条件に関する制御の有利度が、前記報知期間であるときと、前記報知期間以外の期間であるときとで異なり得るように、前記報知期間制御手段は、前記報知条件に関する制御を行い、
前記小役入賞は、異なる複数種類の小役入賞を含み、
前記事前決定手段は、複数種類の小役入賞について発生を許容する旨を同時に決定する同時決定を行うことが可能であり、
前記導出制御手段は、
前記事前決定手段により前記同時決定がなされた場合において、前記導出操作手段が第１の操作順で操作された場合には、前記導出操作手段が操作されたときに導出可能な表示結果のうち発生を許容する旨が決定された複数種類の小役入賞を対象として発生し得る小役入賞の数が多くなるように表示結果を導出する制御を行い、
前記事前決定手段により前記同時決定がなされた場合において、前記導出操作手段が前記第１の操作順とは異なる第２の操作順で操作された場合には、前記導出操作手段が操作されたときに導出可能な表示結果のうち発生を許容する旨が決定された複数種類の小役入賞を対象として付与される遊技用価値が多くなり得るように表示結果を導出することにより、前記第１の操作順で操作された場合とは異なる表示結果を導出する制御を行う、スロットマシン。
【手続補正２】
【補正対象書類名】明細書
【補正対象項目名】０００４
【補正方法】変更
【補正の内容】
【０００４】
このようなスロットマシンとしては、例えば、特許文献１があった。
【手続補正３】
【補正対象書類名】明細書
【補正対象項目名】０００５
【補正方法】変更
【補正の内容】
【０００５】
【特許文献１】特開２００９−２４７４６１号公報
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明は、特定の順番で停止操作するか、特定の順番以外で停止操作するかによって付与される価値を変化させることができるスロットマシンを提供することである。
【手続補正７】
【補正対象書類名】明細書
【補正対象項目名】０００９
【補正方法】変更
【補正の内容】
【０００９】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、遊技用価値の付与を伴う小役入賞を含む入賞について発生を許容するか否かを決定する事前決定手段と、
遊技者が表示結果を導出させるために操作する導出操作手段と、
前記事前決定手段の決定結果および前記導出操作手段の操作に応じて、前記可変表示部に表示結果を導出する制御を行う導出制御手段と、
遊技の進行における所定の契機で報知条件に関する制御をし、該報知条件にしたがって所定の情報を報知する報知期間に制御する報知期間制御手段と、
を備え、
前記報知期間制御手段による前記報知条件に関する制御の有利度が、前記報知期間であるときと、前記報知期間以外の期間であるときとで異なり得るように、前記報知期間制御手段は、前記報知条件に関する制御を行い、
前記小役入賞は、異なる複数種類の小役入賞を含み、
前記事前決定手段は、複数種類の小役入賞について発生を許容する旨を同時に決定する同時決定を行うことが可能であり、
前記導出制御手段は、
前記事前決定手段により前記同時決定がなされた場合において、前記導出操作手段が第１の操作順で操作された場合には、前記導出操作手段が操作されたときに導出可能な表示結果のうち発生を許容する旨が決定された複数種類の小役入賞を対象として発生し得る小役入賞の数が多くなるように表示結果を導出する制御を行い、
前記事前決定手段により前記同時決定がなされた場合において、前記導出操作手段が前記第１の操作順とは異なる第２の操作順で操作された場合には、前記導出操作手段が操作されたときに導出可能な表示結果のうち発生を許容する旨が決定された複数種類の小役入賞を対象として付与される遊技用価値が多くなり得るように表示結果を導出することにより、前記第１の操作順で操作された場合とは異なる表示結果を導出する制御を行う
ことを特徴としている。
本発明の手段１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記事前決定手段の決定結果および前記導出操作手段の操作に応じて、表示結果を導出する制御を行う手段であって、前記事前決定手段の決定結果が所定結果となった場合において、当該所定結果に応じて予め定められた有利手順で前記導出操作手段が操作されたときには、前記有利手順と異なる手順で前記導出操作手段が操作されたときに導出する表示結果の組合せよりも遊技者にとって有利な表示結果の組合せを導出可能な制御を行う導出制御手段と、
有利度合いが異なる複数種類の報知条件からいずれかの報知条件を設定する報知条件設定手段と、
設定された報知条件に従って、前記事前決定手段の決定結果が前記所定結果となったときに当該所定結果に対応する有利手順を特定するための情報を報知する報知期間に制御する報知制御手段と、
を備え、
前記報知条件設定手段は、
前記報知期間に制御する報知条件が設定されていないときにおいて第１の報知条件設定契機が成立したときに、前記複数種類の報知条件のうちいずれかの報知条件を設定する第１報知条件設定手段と、
前記報知期間に制御する報知条件が設定されているときにおいて第２の報知条件設定契機が成立したときに、前記複数種類の報知条件のうち有利度合いが最も高い所定時最高報知条件よりも有利度合いが低い報知条件であってかつ設定されている報知条件よりも有利度合いが高い報知条件を設定する第２報知条件設定手段と、
を含み、
前記スロットマシンは、前記有利手順を特定するための情報を報知していないときにおいて、特定手順以外の手順で操作されたときには、前記特定手順であったときに行われることのない遊技者にとって不利な不利制御を行うことが可能である
ことを特徴としている。
【手続補正８】
【補正対象書類名】明細書
【補正対象項目名】００１０
【補正方法】変更
【補正の内容】
【００１０】
上記課題を解決するために、本発明の手段２に記載のスロットマシンは、
各々が識別可能な複数種類の図柄を変動表示可能な複数の可変表示領域（左、中、右リール）からなる可変表示装置を備え、
遊技用価値を用いて１ゲームに対して所定数の賭数を設定することによりゲームが開始可能となるとともに、前記複数の可変表示領域（左、中、右リール）の全てに表示結果が導出されることにより１ゲームが終了し、前記複数の可変表示領域（左、中、右リール）を通る複数の入賞ライン（入賞ラインＬ１〜Ｌ５）上に導出された図柄の組合せに応じて入賞が発生可能とされたスロットマシンであって、
前記複数の可変表示領域（左、中、右リール）に表示結果が導出される前に前記遊技用価値の付与を伴う小役入賞（小役）を含む複数種類の入賞について発生を許容するか否かを決定する事前決定手段（内部抽選）と、
前記複数の可変表示領域（左、中、右リール）それぞれに表示結果を導出させる際に操作される導出操作手段（ストップスイッチ８Ｌ、８Ｃ、８Ｒ）と、
前記導出操作手段が操作されたときに、該導出操作手段に対応する可変表示領域に、該導出操作手段が操作された時点で所定範囲（引込範囲）内に位置する表示結果から前記事前決定手段（内部抽選）の決定結果に応じていずれかの表示結果を導出させる制御を行う導出制御手段と、
を備え、
前記小役入賞のうち第１の小役入賞（ブドウ）は、前記複数の可変表示領域のうちの特定の可変表示領域（左リール）において前記第１の小役入賞を構成する第１の特定図柄（ブドウ）、他の可変表示領域（中、右リール）において前記第１の小役入賞を構成する第１の他図柄（中、右リールともにブドウ）がいずれかの入賞ライン（入賞ラインＬ１〜Ｌ５）上に揃うことで発生する入賞であり、前記小役入賞のうち第２の小役入賞（１枚役）は、前記特定の可変表示領域（左リール）において前記第２の小役入賞を構成する第２の特定図柄（ブドウ）、他の可変表示領域（中、右リール）において前記第２の小役入賞を構成する第２の他図柄（中リールはプラム、スイカ、チェリー、ベルのいずれか、右リールはブドウ）がいずれかの入賞ライン（入賞ラインＬ１〜Ｌ５）上に揃うことで発生する入賞であり、前記小役入賞のうち第３の小役入賞（２枚役）は、前記特定の可変表示領域（左リール）において前記第３の小役入賞を構成する図柄であり前記第２の特定図柄とは異なる第３の特定図柄（リプレイ）、他の可変表示領域において前記第３の小役入賞を構成する第３の他図柄（中リールはプラム、スイカ、チェリー、ベルのいずれか、右リールはリプレイ）がいずれかの入賞ライン（入賞ラインＬ１〜Ｌ５）上に揃うことで発生する入賞であり、
前記導出制御手段は、前記事前決定手段（内部抽選）の決定結果が、前記第１〜３の小役入賞の発生を許容し、かつ前記特別入賞の発生を許容しない特定の決定結果（特別役非持越中の小役ＧＲ（１）〜（５）当選）であり、前記導出操作手段が特定の順番で操作された場合に、前記第１の小役入賞（ブドウ）を構成する図柄の組合せをいずれかの入賞ラインに導出させる制御を行い、前記事前決定手段（内部抽選）の決定結果が前記特定の決定結果（特別役非持越中の小役ＧＲ（１）〜（５）当選）であり、前記導出操作手段が前記特定の順番以外の順番で操作された場合に、前記第２の小役入賞を構成する図柄（１枚役）の組合せ及び前記第３の小役入賞（２枚役）を構成する図柄の組合せの双方をそれぞれいずれかの入賞ラインに導出させる制御を行い、
前記スロットマシンは、
有利度合いが異なる複数種類の報知条件からいずれかの報知条件（第１ＡＴフラグ、継続確率、変形例における終了確率、継続ゲーム数、ナビストック数など）を設定する報知条件設定手段と、
設定された報知条件に従って、前記事前決定手段の決定結果が前記特定の決定結果となった場合に、当該特定の決定結果に対応して遊技者にとって有利となる前記導出操作手段の操作順を特定するための情報（ナビ演出）を報知する報知期間（ＡＴ）に制御する報知制御手段と、
を備え、
前記報知条件設定手段は、
前記報知期間に制御する報知条件が設定されていないときにおいて所定契機が成立（第１ＡＴフラグが設定されていないときに第１ＡＴ抽選条件が成立）したときに、前記複数種類の報知条件のうちいずれかの報知条件を設定する第１報知条件設定手段（ＡＴ抽選、初当選時確率抽選）と、
前記報知期間に制御する報知条件が設定されているときにおいて特定契機が成立（第１ＡＴフラグが設定されているときに第１ＡＴ抽選条件が成立）したときに、前記複数種類の報知条件のうち有利度合いが最も高い所定時最高報知条件（７７％）よりも有利度合いが低い報知条件（７５％以下）であってかつ設定されている報知条件よりも有利度合いが高い報知条件（例えば、加算確率）を設定する第２報知条件設定手段（昇格時確率抽選）と、
を含む
ことを特徴としている。
この特徴によれば、第１〜３の小役入賞の発生が許容され、かつ特別入賞の発生が許容されていない場合には、特定の順番で導出操作手段が操作された場合と、特定の順番以外の順番で導出操作手段が操作された場合と、で小役入賞の組合せが揃う入賞ラインの数が異なるため、小役入賞が発生した際の可変表示領域の表示態様のバリエーションを増やすことができる。
また、報知期間においては、事前決定手段の決定結果が特定の決定結果となった場合に、当該特定の決定結果に対応して遊技者にとって有利となる導出操作手段の操作順を特定するための情報が報知される。このため、報知期間において事前決定手段の決定結果が特定の決定結果となった場合には、遊技者は意図的に有利な操作順で導出操作手段を操作して有利な表示態様を導出させることができる。
このような遊技者にとって有利となる報知期間には、所定契機が成立することを条件として制御され得る。また、報知期間は、設定されている報知条件の有利度合いに左右されるところ、報知条件は、報知期間に制御する報知条件が設定されていないときにおいて所定契機が成立したときに設定される。このため、報知期間に制御する報知条件が設定されていないときにおいて所定契機が成立することに注目させ、報知期間に制御されることおよび報知条件としてより有利度合いが高い報知条件が設定されることに期待感を抱かせることができる。
また、報知条件は、報知期間に制御する報知条件が設定されているときであっても、特定契機が成立することによってすでに設定されている報知条件よりも有利度合いが高い報知条件に設定され得る。一方、特定契機が成立することによっては、所定契機が成立することによって設定され得る最も高い所定時最高報知条件よりも有利度合いが低い報知条件しか設定することができない。すなわち、報知条件として所定時最高報知条件が決定され得るのは報知期間に制御する報知条件が設定されていないときにおいて所定契機が成立したときだけであり、報知期間に制御する報知条件が設定された後において特定契機が成立したとしても所定時最高報知条件が設定されることはない。このため、報知期間に制御する報知条件が設定されているときにおいて、特定契機が成立することに注目させるとともに報知条件の有利度合いが高まることに対する期待感を抱かせつつ、射幸性が高まりすぎてしまうといった不都合の発生を抑制することができる。
尚、前記第２の小役入賞を構成する第２の特定図柄、前記第３の小役入賞を構成する第３の特定図柄が異なる構成であれば、第１の小役入賞を構成する第１の特定図柄と第２の特定図柄、または第１の特定図柄と第３の特定図柄が同じ図柄であっても良いし、異なる図柄であっても良い。また、前記第１の小役入賞を構成する第１の他図柄、前記第２の小役入賞を構成する第２の他図柄、前記第３の小役入賞を構成する第３の他図柄は、同じ図柄であっても良いし、異なる図柄であっても良い。
また、前記第１の小役入賞を構成する第１の特定図柄と前記第１の他図柄とは同じ図柄であっても良いし、異なる図柄であっても良い。同様に前記第２の小役入賞を構成する第２の特定図柄と前記第２の他図柄とは同じ図柄であっても良いし、異なる図柄であっても良く、前記第３の小役入賞を構成する第３の特定図柄と前記第３の他図柄とは同じ図柄であっても良いし、異なる図柄であっても良い。
また、所定契機は報知期間に制御されていないときに成立するものであり、また特定契機は報知期間に制御されているときに成立するものであれば、所定契機と特定契機とは、同じ条件を満たすことにより成立するものであっても良く、また互いに異なる条件を満たすことにより成立するものであっても良い。
【手続補正９】
【補正対象書類名】明細書
【補正対象項目名】００１１
【補正方法】変更
【補正の内容】
【００１１】
本発明の手段３に記載のスロットマシンは、手段２に記載のスロットマシンであって、
前記所定契機は、特別な所定契機（ボーナス単独当選）を含み、
前記第１報知条件設定手段は、前記特別な所定契機以外の所定契機（１ゲーム目ボーナス当選、スイカ単独当選、特殊役２単独当選）が成立したときには報知条件として前記所定時最高報知条件を設定し得ず、前記特別な所定契機が成立したときにのみ報知条件として前記所定時最高報知条件を設定し得る
ことを特徴としている。
この特徴によれば、報知条件として所定時最高報知条件が設定され得るのは、所定契機のうち特別な所定契機が成立したときだけである。このため、所定契機としてどのような契機が成立した場合においても所定時最高報知条件が設定され得るものと比較して射幸性が高まることをより一層抑制することができるとともに、報知条件として所定時最高報知条件が設定されることに対する価値を高めることができる。
尚、前記特別な所定契機は、当該特別な所定契機以外の所定契機よりも成立し難い契機であっても良い。これにより、射幸性をより一層効果的に抑制することができる。
【手続補正１０】
【補正対象書類名】明細書
【補正対象項目名】００１２
【補正方法】変更
【補正の内容】
【００１２】
本発明の手段４に記載のスロットマシンは、手段２または３に記載のスロットマシンであって、
前記特定契機は、特別な特定契機（ボーナス単独当選、ボーナス終了後の１ゲーム目でボーナス当選）を含み、
前記第２報知条件設定手段は、前記特別な特定契機以外の特定契機（スイカ単独当選、特殊役２単独当選）が成立したときには当該第２報知条件設定手段が設定し得る報知条件のうち有利度合いが最も高い特定時最高報知条件（７５％）を設定し得ず、前記特別な特定契機が成立したときにのみ前記特定時最高報知条件を設定し得る
ことを特徴としている。
この特徴によれば、報知条件として特定時最高報知条件が設定され得るのは、特定契機のうち特別な特定契機が成立したときだけである。このため、特定契機としてどのような契機が成立した場合においても特定時最高報知条件が設定され得るものと比較して射幸性が高まることをより一層抑制することができるとともに、報知条件として特定時最高報知条件が設定されることに対する価値を高めることができる。
【手続補正１１】
【補正対象書類名】明細書
【補正対象項目名】００１３
【補正方法】変更
【補正の内容】
【００１３】
本発明の手段５に記載のスロットマシンは、手段２〜４のいずれかに記載のスロットマシンであって、
前記第１報知条件設定手段は、報知条件として、所定範囲の確率から継続確率を設定し（ＡＴ抽選、初当選時確率抽選）、
前記第２報知条件設定手段は、報知条件として、前記所定範囲の確率のうち最も高い最高確率（７７％）未満であってかつ設定されている継続確率よりも高い確率（例えば、加算確率）から継続確率を設定（昇格時確率抽選）し、
前記報知制御手段は、
前記報知期間に制御する報知条件が設定されているときには予め定められた終了条件（ボーナス入賞）が成立するまで前記報知期間に制御する制御手段と、
前記終了条件が成立した後においても前記報知期間に制御するか否かを、設定されている継続確率に従って決定する継続決定手段（初当選時継続抽選、再継続抽選）と、
を含む
ことを特徴としている。
この特徴によれば、報知期間に制御される期間は、設定されている継続確率の高低に左右される。このため、報知期間に制御されていないときにおいて所定契機が成立することに注目させ、報知期間に制御されることおよび継続確率としてより高い確率が設定されることに期待感を抱かせることができる。
また、継続確率は、報知期間に制御された後であっても、特定契機が成立することによってすでに設定されている継続確率よりも高い確率から設定され得る。一方、特定契機が成立することによっては、所定契機が成立することによって設定され得る最も高い最高確率未満の確率からしか継続確率を設定することができない。すなわち、継続確率として最高確率が設定され得るのは報知期間に制御されていないときにおいて所定契機が成立したときだけであり、報知期間に制御された後において特定契機が成立したとしても最高確率に設定されることがない。このため、報知期間に制御されているときに特定契機が成立することに注目させるとともに継続確率が高まることに対する期待感を抱かせつつ、射幸性が高まりすぎてしまうといった不都合の発生を抑制することができる。
【手続補正１２】
【補正対象書類名】明細書
【補正対象項目名】００１４
【補正方法】変更
【補正の内容】
【００１４】
本発明の手段６に記載のスロットマシンは、手段２〜５のいずれかに記載のスロットマシンであって、
前記継続決定手段は、前記報知期間に制御するか否かを、前記第１報知条件設定手段により設定された継続確率に従って少なくとも１回決定する（ＡＴ当選したゲームが終了したときに実行）
ことを特徴としている。
この特徴によれば、所定契機が成立したときに決定される継続確率に対する注目度合いをより一層向上させることができる。
【手続補正１３】
【補正対象書類名】明細書
【補正対象項目名】００１５
【補正方法】変更
【補正の内容】
【００１５】
本発明の手段７に記載のスロットマシンは、手段２〜６のいずれかに記載のスロットマシンであって、
特殊契機（第２抽選条件）が成立したことを条件として、遊技者にとって有利度合いが異なる複数種類の特殊条件からいずれかの特殊条件（ナビストック）を設定する特殊条件設定手段（第２ＡＴ抽選処理）と、
前記報知期間に制御されていない特定期間（第１ＡＴフラグが設定されていない状態）において、前記特殊条件設定手段により設定された特殊条件に従って、当該特殊条件に対応する特殊終了条件（第２ＡＴから非ＡＴに制御するときの第２ＡＴフラグがナビストック数０であるとき）が成立して前記特殊条件が設定されていない通常期間（第２ＡＴフラグから第２ＡＴでない旨が特定される状態）となるまで、前記事前決定手段の決定結果が前記所定結果となった場合に当該所定結果に対応する有利手順を特定するための情報を報知する報知状態（第２ＡＴ、第２報知状態）となる割合が前記通常期間であるときよりも高い特定報知期間（第２ＡＴである旨を示す第２ＡＴフラグがセットされている状態）に制御する特定報知期間制御手段と、
前記特定報知期間において報知状態が終了した後に再び報知状態となり得るまでの非報知状態に移行する非報知期間（潜伏期間）を決定する非報知期間決定手段と、
を備え、
前記非報知期間決定手段は、前記特定期間以前において前記報知制御手段により制御されていた前記報知期間が所定期間（報知条件が継続確率の場合は例えば第１ＡＴに２回連続して制御されたとき、報知条件がナビストック数の場合は例えば４以上設定されて第１ＡＴに制御されたとき、報知条件がゲーム数の場合は例えば２００ゲーム以上に亘り第１ＡＴに制御されたときなど）以上であることを示す特定条件が成立している場合（第１ＡＴ連続カウンタの値が１以上）には、成立していない場合に比べて、一の報知状態終了後の非報知状態に移行する非報知期間の期待値が大きくなる（平均化される長さが長くなる）ように非報知期間を決定する
ことを特徴としている。
この特徴によれば、遊技者にとって有利となる報知状態には、通常期間であるときよりも特定報知期間であるときの方が高い割合で移行される。その結果、特定報知期間に制御されて報知状態に移行されることに対する期待感を遊技者に抱かせることができる。特定報知期間には、特殊契機が成立することにより設定される特殊条件に従って制御され得る。このため、特殊契機が成立することに注目させ、特殊条件が設定されることに期待感を抱かせることができる。
また、特定報知期間に制御された場合であっても、非報知状態に移行する非報知期間の長さによって、次の報知状態に移行されるまでに設定する賭数が多くなり遊技者の利益が左右される。このため、非報知期間の長さに遊技者を注目させることができる。このような非報知期間は、特定期間以前において報知制御手段により制御されていた報知期間が所定期間以上であることを示す特定条件が成立しているか否かを考慮して決定される。具体的に、一の報知状態終了後の非報知状態に移行する非報知期間の期待値が、特定条件が成立している場合に、特定条件が成立していない場合に比べて大きくなるように、当該非報知状態が決定される。これにより、特定条件が成立していることから、特定期間以前においてすでに遊技者に対し相当の利益が付与されていることが推測される場合において、その後の特定報知期間においてさらに短い非報知期間ばかり決定されることにより、射幸性が高まりすぎてしまうといった不都合の発生を抑制することができる。また、特定報知期間において報知状態が終了した後に移行される非報知状態の期間が単調になってしまうことを防止でき、特定報知期間における遊技の興趣が低下する不都合の発生を防止することができる。
尚、非報知期間決定手段により非報知期間を決定するタイミングは、特殊条件が設定された後であって、該特殊条件に基づき制御される特定報知期間において非報知状態に移行するまでであれば良い。また、非報知期間決定手段の決定対象は、前記特定報知期間において移行される非報知状態毎であっても良く、また、前記特定報知期間に制御するまでに当該特定報知期間において移行されるすべての非報知状態であっても良い。
【手続補正１４】
【補正対象書類名】明細書
【補正対象項目名】００１６
【補正方法】変更
【補正の内容】
【００１６】
本発明の手段８に記載のスロットマシンは、手段２〜７のいずれかに記載のスロットマシンであって、
特殊契機（第２抽選条件）が成立したことを条件として、遊技者にとって有利度合いが異なる複数種類の特殊条件からいずれかの特殊条件（ナビストック）を設定する特殊条件設定手段（第２ＡＴ抽選処理）と、
前記報知期間に制御されていない特定期間（第１ＡＴフラグが設定されていない状態）において、前記特殊条件設定手段により設定された特殊条件に従って、前記事前決定手段の決定結果が前記所定結果となった場合に当該所定結果に対応する有利手順を特定するための情報を報知し得る特定報知期間（第２ＡＴである旨を示す第２ＡＴフラグがセットされている状態）に制御する特定報知期間制御手段とを備え、
前記特定報知期間制御手段は、前記特殊条件が前記報知期間であるときに設定された場合には、前記報知期間でないときに設定された場合に比べて、当該一の特定報知期間に制御されることに起因して付与されることが期待される遊技用価値の総数と賭数の設定に用いられる遊技用価値の総数との差である獲得期待数が少なくなるように前記特定報知期間を制御するための特定制御を行う
ことを特徴としている。
この特徴によれば、特定報知期間に制御されることに対する期待感を遊技者に抱かせることができる。特定報知期間には、特殊契機が成立することにより設定される特殊条件に従って制御され得る。このため、特殊契機が成立することに注目させ、特殊条件が設定されることに期待感を抱かせることができる。
また、特殊条件が、報知期間であるときに設定された場合には、報知期間でないときに設定された場合に比べて、当該特定報知期間に制御されることに起因する獲得期待数が少なくなるように特定報知期間を制御するための特定制御が行われる。これにより、同じ特定報知期間であっても、報知期間において遊技者が利益を獲得している最中に設定された特殊条件に従って制御される特定報知期間における遊技者の利益を少なくすることができる。その結果、特殊契機が成立するタイミングにも注目させつつ、射幸性が高まりすぎてしまうといった不都合の発生を極力抑制することができる。
尚、前述した報知条件と特殊条件とは、その対象が異なるもの（例えば、継続確率とナビストック）であっても良く、また同じもの（例えば、双方、ナビストック）であっても良い。
【手続補正１５】
【補正対象書類名】明細書
【補正対象項目名】００１７
【補正方法】変更
【補正の内容】
【００１７】
本発明の手段９に記載のスロットマシンは、手段２〜８のいずれかに記載のスロットマシンであって、
前記導出制御手段は、前記事前決定手段の決定結果（内部抽選）が、前記第１〜３の小役入賞の発生を許容し、かつ遊技者にとって有利な特別遊技状態（ＢＢ）への移行を伴う特別入賞（特別役）の発生も許容する特別の決定結果（特別役持越中の小役ＧＲ（１）〜（５）当選）である場合に、前記導出操作手段が操作された順番に関わらず、前記第１の小役入賞（ブドウ）を構成する図柄の組合せをいずれかの入賞ラインに導出させる制御を行うとともに、前記第１の小役入賞（ブドウ）と前記特別入賞（特別役）の双方が発生可能となる表示結果を前記第２の小役入賞（１枚役）と前記第３の小役入賞（２枚役）の双方が発生可能となる表示結果よりも優先して導出させる制御を行い、
前記特定の可変表示領域（左リール）に配列された図柄は、所定のタイミング（特別役の引込範囲）にて前記導出操作手段（ストップスイッチ８Ｌ）が操作された場合に、前記第１の図柄（ブドウ）及び前記特別入賞を構成する図柄（黒７）の双方を前記入賞ラインに導出させることは可能であるが、前記第２の図柄（ブドウ）、前記第３の図柄（リプレイ）及び前記特別入賞を構成する図柄（黒７）からなる３つの図柄全てを前記入賞ラインに導出させることができない順番にて配置されている
ことを特徴としている。
この特徴によれば、特定の可変表示領域では、所定のタイミングにて導出操作手段が操作された場合に、第１の図柄及び特別入賞を構成する図柄の双方を前記入賞ラインに導出させることは可能であるが、第２の図柄、第３の図柄及び特別入賞を構成する図柄からなる３つの図柄全てを入賞ラインに導出させることができない順番にて図柄が配列されており、第１〜３の小役入賞の発生が許容され、かつ特別入賞の発生が許容されている場合には、第１の小役入賞と特別入賞の双方が発生可能となる表示結果を第２の小役入賞と第３の小役入賞の双方が発生可能となる表示結果よりも優先して導出させる制御を行うようになっている。このため、特別入賞と複数の小役入賞が同時に許容された場合に、特別入賞の構成図柄と小役入賞の構成図柄の双方を入賞ラインに停止させる構成にしても、特定の可変表示領域において特別入賞を構成する図柄と第１の図柄とが同時に入賞ラインに停止する図柄配置、すなわち２種類の図柄が入賞ラインに停止する図柄配置とすることで、第２の小役入賞の構成図柄、第３の小役入賞の構成図柄及び特別入賞の構成図柄からなる３つの図柄が全て同時に入賞ラインに停止する図柄配置、すなわち３種類の図柄が入賞ラインに停止する図柄配置に比較して図柄配列の制限が少なくて済む。
また、第１〜３の小役入賞の発生が許容され、かつ特別入賞の発生が許容されている場合には、導出操作手段が操作された順番に関わらず、第１の小役入賞を構成する図柄の組合せをいずれかの入賞ラインに導出させる制御を行うようになっており、第１の小役入賞が単独で揃うことで特別入賞が許容されていることに対する期待感を高めることができる。
【手続補正１６】
【補正対象書類名】明細書
【補正対象項目名】００１８
【補正方法】変更
【補正の内容】
【００１８】
本発明の手段１０に記載のスロットマシンは、手段２〜９のいずれかに記載のスロットマシンであって、
前記第１の小役入賞（ブドウ）が発生した場合と、前記第２の小役入賞（１枚役）及び前記第３の小役入賞（２枚役）の双方が発生した場合と、で付与される遊技用価値の数が異なる
ことを特徴としている。
この特徴によれば、事前決定手段の決定結果が同じ特定の決定結果であっても、導出操作手段を操作した順番によって付与される遊技用価値の数を変化させることができる。
【手続補正１７】
【補正対象書類名】明細書
【補正対象項目名】０５４５
【補正方法】変更
【補正の内容】
【０５４５】
また、潜伏期間による抑制は、最大決定されたか否か及び最大許容ＡＴ抽選条件が成立したか否かに限らず、例えば、所定数以上（例えば８以上）のナビストック数を、１回の第２ＡＴ抽選で獲得したときの方が複数回の第２ＡＴ抽選で獲得したときよりも高い割合で、同じナビストック数を消費する間におけるメダルの純増枚数が小さくなるようにするための特定制御を行って、射幸性を抑制するようにしても良い。具体的には、１回の第２ＡＴ抽選で８以上のナビストック数に決定されたとき（以下、多数決定という）に、最大決定時カウンタに替えて多数決定時カウンタの値に７を設定し、図１９のＳＡ０３において多数決定時カウンタの値が０であるか否かを判定し、ＳＡ０３において０でないと判定されたときにＳＡ０７において多数決定時カウンタの値を１減算して、ＳＡ０８以降の処理を行うことにより、比較的長い潜伏期間が高い割合で決定されるようにしても良い。
【手続補正１８】
【補正対象書類名】明細書
【補正対象項目名】０５７３
【補正方法】変更
【補正の内容】
【０５７３】
前述した実施例における準備モードでは、昇格リプレイや転落リプレイを含むリプＧＲ１〜リプＧＲ４が抽選対象役として読み出されず当選しない例について説明したが、これに限らず、昇格リプレイや転落リプレイを含むリプＧＲ１〜リプＧＲ４が抽選対象役として読み出されて、所定確率で当選し、入賞し得るように構成しても良い。このように構成した場合、例えば、準備モードにおいて、昇格リプレイに入賞したときには有利ＲＴに制御するようにしても良く、転落リプレイに入賞したときには通常遊技状態に制御するようにしても良い。この場合において、準備モードにおいて、共通の操作態様以外で操作されたときには、図２４のＳ５３〜Ｓ５６と同様の処理を行い、ペナルティが課されるようにしても良い。